(57)【要約】  本発明は、サイレントモードでの呼び出し方法及び装置を開示し、該方法は、端末が着呼を受信すると、端末の現在のモードを検出することと、端末がサイレントモードにある場合、予め設定された条件に従って端末の着信音及び／又はバイブレーションをオンにして、ユーザに電話に出るように知らせることと、を含む。本発明は、端末がサイレントモードにあるか否かを予め検出することができ、端末がサイレントモードにある場合、さらに、予め設定された条件に従って端末の着信音及び／又はバイブレーションをオンにし、これにより、ユーザが、サイレントモードであっても、予め設定されたことに従って大切な電話に出ることができ、ユーザ体験を向上させ、電話がサイレントモードにある場合、端末ユーザが常に緊急又は大切な着信を取り損ねてしまう問題を解決する。
2017506853.tif 000002
【特許請求の範囲】
【請求項１】
端末が着呼を受信すると、前記端末の現在のモードを検出することと、
前記端末がサイレントモードにある場合、予め設定された条件に従って前記端末の着信音及び／又はバイブレーションをオンにして、ユーザに電話に出るように知らせることと、
を含むサイレントモードでの呼び出し方法。
【請求項２】
前記端末がサイレントモードにある場合、予め設定された条件に従って前記端末の着信音及び／又はバイブレーションをオンにすることは、
前記端末がサイレントモードにある場合、発信者番号が着信音及び／又はバイブレーションのオンをサポートするように設定されているか否かを検出することと、
前記発信者番号が着信音及び／又はバイブレーションのオンをサポートするように設定されている場合、前記予め設定された条件に従って前記端末の着信音及び／又はバイブレーションをオンにして、ユーザに電話に出るように知らせることと、を含む
請求項１に記載の方法。
【請求項３】
前記端末がサイレントモードにある場合、予め設定された条件に従って前記端末の着信音及び／又はバイブレーションをオンにすることは、
前記端末がサイレントモードにある場合、現在条件が、前記発信者番号からの発呼回数が予め設定された回数に達していることと、リンギング継続時間が予め設定された時間に達していることとを少なくとも１つ含む前記予め設定された条件を満たすか否かを検出することと、
前記現在条件が前記予め設定された条件を満たす場合、現在条件での着信回数の統計数をクリアし、前記端末の着信音及び／又はバイブレーションをオンにして、ユーザに電話に出るように知らせることと、をさらに含む
請求項１又は２に記載の方法。
【請求項４】
現在条件が前記予め設定された条件を満たすか否かを検出する前に、
発信者番号からの最初の発呼に応答がない場合、前記発信者番号からの発呼回数を統計することと、
所定の時間帯内に再び前記発信者番号からの発呼がない場合、前記発信者番号からの発呼回数の統計をキャンセルすることと、をさらに含む
請求項３に記載の方法。
【請求項５】
現在条件が前記予め設定された条件を満たすか否かを検出する前に、
発信端末からの最初の発呼に応答がない場合、リンギングモードを変えるように、ショートメッセージ又は自動音声応答により前記発信端末に発呼を継続するように促すことをさらに含む
請求項４に記載の方法。
【請求項６】
端末が着呼を受信すると、前記端末の現在のモードを検出するように構成される検出モジュールと、
前記端末がサイレントモードにある場合、予め設定された条件に従って前記端末の着信音及び／又はバイブレーションをオンにして、ユーザに電話に出るように知らせるように構成される着信音オンモジュールと、
を備えるサイレントモードでの呼び出し装置。
【請求項７】
前記着信音オンモジュールは、
前記端末がサイレントモードにある場合、発信者番号が着信音及び／又はバイブレーションのオンをサポートするように設定されているか否かを検出するように構成される第１の検出ユニットと、
前記発信者番号が着信音及び／又はバイブレーションのオンをサポートするように設定されている場合、前記予め設定された条件に従って前記端末の着信音及び／又はバイブレーションをオンにして、ユーザに電話に出るように知らせるように構成される第１の着信音オンユニットと、を含む
請求項６に記載の装置。
【請求項８】
前記着信音オンモジュールは、
前記端末がサイレントモードにある場合、現在条件が、前記発信者番号からの発呼回数が予め設定された回数に達していることと、リンギング継続時間が予め設定された時間に達していることとを少なくとも１つ含む前記予め設定された条件を満たすか否かを検出するように構成される第２の検出ユニットと、
前記現在条件が前記予め設定された条件を満たす場合、現在条件での着信回数の統計数をクリアし、前記端末の着信音及び／又はバイブレーションをオンにして、ユーザに電話に出るように知らせるように構成される第２の着信音オンユニットと、を含む
請求項６又は７に記載の装置。
【請求項９】
前記着信音オンモジュールは、
発信者番号からの最初の発呼に応答がない場合、前記発信者番号からの発呼回数を統計し、所定の時間帯内に再び前記発信者番号からの発呼がない場合、前記発信者番号からの発呼回数の統計をキャンセルするように構成される統計ユニット、をさらに含む
請求項８に記載の装置。
【請求項１０】
前記着信音オンモジュールは、
発信端末からの最初の発呼に応答がない場合、リンギングモードを変えるように、ショートメッセージ又は自動音声応答により前記発信端末に発呼を継続するように促すように構成される提示ユニット、をさらに含む
請求項９に記載の装置。
【発明の詳細な説明】
【技術分野】
【０００１】
本発明は移動通信分野に関し、特に、サイレントモードでの呼び出し方法及び装置に関する。
【背景技術】
【０００２】
現在、通信端末は、ほとんどサイレントモード（即ち、着信拒否機能）をサポートし、これにより、ある場面において（例えば、会議又は睡眠中等）着信音に邪魔されることはない一方、緊急又は大切な着信を取り損ねてしまうおそれがある。
【０００３】
従来技術において、電話がサイレントモードにある場合、端末ユーザが常に緊急又は大切な着信を取り損ねてしまう可能性があり、ユーザ体験の低下を招く。
【発明の概要】
【発明が解決しようとする課題】
【０００４】
本発明は、従来技術において、電話がサイレントモードにある場合、端末ユーザが常に緊急又は大切な着信を取り損ねてしまうことにより、ユーザ体験が低くなる問題を解決するように、サイレントモードでの呼び出し（ｃａｌｌｉｎｇ）方法及び装置を提供する。
【課題を解決するための手段】
【０００５】
本発明の一態様では、端末が着呼を受信すると、前記端末の現在のモードを検出することと、前記端末がサイレントモードにある場合、予め設定された条件に従って前記端末の着信音及び／又はバイブレーションをオンにして、ユーザに電話に出るように知らせることと、を含むサイレントモードでの呼び出し方法が提供される。
【０００６】
前記端末がサイレントモードにある場合、予め設定された条件に従って前記端末の着信音及び／又はバイブレーションをオンにすることは、前記端末がサイレントモードにある場合、発信者番号が着信音及び／又はバイブレーションのオンをサポートするように設定されているか否かを検出することと、前記発信者番号が着信音及び／又はバイブレーションのオンをサポートするように設定されている場合、前記予め設定された条件に従って前記端末の着信音及び／又はバイブレーションをオンにして、ユーザに電話に出るように知らせることと、を含むことが好ましい。
【０００７】
前記端末がサイレントモードにある場合、予め設定された条件に従って前記端末の着信音及び／又はバイブレーションをオンにすることは、前記端末がサイレントモードにある場合、現在条件が、前記発信者番号からの発呼回数が予め設定された回数に達していることと、リンギング継続時間（ｒｉｎｇｉｎｇ  ｄｕｒａｔｉｏｎ）が予め設定された時間に達していることとを少なくとも１つ含む前記予め設定された条件を満たすか否かを検出することと、前記現在条件が前記予め設定された条件を満たす場合、現在条件での着信回数の統計数をクリアし、前記端末の着信音及び／又はバイブレーションをオンして、ユーザに電話に出るように知らせることと、をさらに含むことが好ましい。
【０００８】
現在条件が前記予め設定された条件を満たすか否かを検出する前に、発信者番号からの最初の発呼に応答がない場合、前記発信者番号からの発呼回数を統計することと、所定の時間帯内に再び前記発信者番号からの発呼がない場合、前記発信者番号からの発呼回数の統計をキャンセルすることと、をさらに含むことが好ましい。
【０００９】
現在条件が前記予め設定された条件を満たすか否かを検出する前に、発信端末からの最初の発呼に応答がない場合、リンギングモードを変えるように、ショートメッセージ又は自動音声応答により前記発信端末に発呼を継続するように促すことをさらに含むことが好ましい。
【００１０】
本発明の他の一態様では、端末が着呼を受信すると、前記端末の現在のモードを検出するように構成される検出モジュールと、前記端末がサイレントモードにある場合、予め設定された条件に従って前記端末の着信音及び／又はバイブレーションをオンにして、ユーザに電話に出るように知らせるように構成される着信音オンモジュールと、を備えるサイレントモードでの呼び出し装置がさらに提供される。
【００１１】
前記着信音オンモジュールは、前記端末がサイレントモードにある場合、発信者番号が着信音及び／又はバイブレーションのオンをサポートするように設定されているか否かを検出するように構成される第１の検出ユニットと、前記発信者番号が着信音及び／又はバイブレーションのオンをサポートするように設定されている場合、前記予め設定された条件に従って前記端末の着信音及び／又はバイブレーションをオンにして、ユーザに電話に出るように知らせるように構成される第１の着信音オンユニットと、を含むことが好ましい。
【００１２】
前記着信音オンモジュールは、前記端末がサイレントモードにある場合、現在条件が、前記発信者番号からの発呼回数が予め設定された回数に達していることと、リンギング継続時間が予め設定された時間に達していることとを少なくとも１つ含む前記予め設定された条件を満たすか否かを検出するように構成される第２の検出ユニットと、前記現在条件が前記予め設定された条件を満たす場合、現在条件での着信回数の統計数をクリアし、前記端末の着信音及び／又はバイブレーションをオンにして、ユーザに電話に出るように知らせるように構成される第２の着信音オンユニットと、を含むことが好ましい。
【００１３】
前記着信音オンモジュールは、発信者番号からの最初の発呼に応答がない場合、前記発信者番号からの発呼回数を統計し、所定の時間帯内に再び前記発信者番号からの発呼がない場合、前記発信者番号からの発呼回数の統計をキャンセルするように構成される統計ユニット、をさらに含むことが好ましい。
【００１４】
前記着信音オンモジュールは、発信端末からの最初の発呼に応答がない場合、リンギングモードを変えるように、ショートメッセージ又は自動音声応答により前記発信端末に発呼を継続するように促すように構成される提示（ｒｅｍｉｎｄｉｎｇ）ユニット、をさらに含むことが好ましい。
【発明の効果】
【００１５】
本発明の上記実施の形態によれば、端末がサイレントモードにあるか否かを予め検出することができ、端末がサイレントモードにある場合、さらに、予め設定された条件に従って端末の着信音及び／又はバイブレーションをオンにし、これにより、ユーザが、サイレントモードであっても、予め設定されたことに従って大切な電話に出ることができ、ユーザ体験を向上させ、電話がサイレントモードにある場合、端末ユーザが常に緊急又は大切な着信を取り損ねてしまう問題を解決する。
【図面の簡単な説明】
【００１６】
【図１】本発明の実施の形態におけるサイレントモードでの呼び出し方法を示すフローチャートである。
【図２】本発明の実施の形態におけるサイレントモードでの呼び出し装置の構成を示す図である。
【図３】本発明の実施の形態におけるサイレントモードでの呼び出し装置の着信音オンモジュールの第１の構成を示す図である。
【図４】本発明の実施の形態におけるサイレントモードでの呼び出し装置の着信音オンモジュールの第２の構成を示す図である。
【図５】本発明の実施の形態におけるサイレントモードでの呼び出し装置の着信音オンモジュールの第２の好適な構成を示す図である。
【図６】本発明の好適な実施例における着信処理を示すフローチャートである。
【図７】本発明の好適な実施例における着信による緊急コールバックモードのトリガーを示すフローチャートである。
【図８】本発明の好適な実施の形態における緊急コールバックモードを終了させることを示すフローチャートである。
【発明を実施するための形態】
【００１７】
従来技術において、電話がサイレントモードにある場合、端末ユーザが常に緊急又は大切な着信を取り損ねてしまうことにより、ユーザ体験が低くなる問題を解決するために、本発明は、サイレントモードでの呼び出し方法及び装置を提供し、以下、図面及び実施の形態を結合しながら本発明をさらに詳しく説明する。ここで説明する具体的な実施の形態は本発明を説明するものであり、本発明を限定するものではない。
【００１８】
本発明の実施の形態にてサイレントモードでの呼び出し方法が提供され、該方法のフローは、図１に示すように、ステップＳ１０２〜ステップＳ１０４を含む。
【００１９】
Ｓ１０２：端末が着呼を受信すると、端末の現在のモードを検出する。
【００２０】
Ｓ１０４：端末がサイレントモードにある場合、予め設定された条件に従って端末の着信音及び／又はバイブレーションをオンにして、ユーザに電話に出るように知らせる。
【００２１】
本発明の実施の形態によれば、端末がサイレントモードにあるか否かを予め検出することができ、端末がサイレントモードにある場合、さらに、予め設定された条件に従って端末の着信音及び／又はバイブレーションをオンにし、これにより、ユーザが、サイレントモードであっても、予め設定されたことに従って大切な電話に出ることができ、ユーザ体験を向上させ、電話がサイレントモードにある場合、端末ユーザが常に緊急又は大切な着信を取り損ねてしまう問題を解決する。
【００２２】
実施中、発信者番号を予め設定することができ、例えば、取り損ねたくない電話番号について、着信音及び／又はバイブレーションのオンをサポートするように設定すると、端末がサイレントモードにある場合、発信者番号が着信音及び／又はバイブレーションのオンをサポートするように設定されているか否かを検出する必要があり、発信者番号が着信音及び／又はバイブレーションのオンをサポートするように設定されていれば、予め設定された条件に従って端末の着信音及び／又はバイブレーションをオンにして、ユーザに電話に出るように知らせ、その一方、発信者番号が着信音及び／又はバイブレーションのオンをサポートするように設定されていなければ、通常のサイレントモードで処理する。
【００２３】
現在条件が予め設定された条件を満たすか否かを検出する場合、様々な方式で検出することができ、例えば、予め設定された条件は、発信者番号からの発呼回数が予め設定された回数に達していること、或いは、リンギング継続時間が予め設定された時間に達していること、或いは、上記両者の組合せにされることができる。実現にあたり、発信者番号からの発呼回数が予め設定された回数に達しているか否かを単独で検出することができ、達していれば、予め設定された条件を満たすことになり、或いは、リンギング継続時間が予め設定された時間に達しているか否かを単独で検出することもでき、予め設定された時間に達していれば、予め設定された条件を満たすことになる。もちろん、二重検出により該呼び出し過程をさらに最適化することもでき、例えば、リンギング継続時間が予め設定された時間に達してから発呼回数を統計するようにする。
【００２４】
現在条件が予め設定された条件を満たす場合、現在条件での発信者番号に対応する着信回数の統計数をクリアし、端末の着信音及び／又はバイブレーションをオンにして、ユーザに電話に出るように知らせる。
【００２５】
コーリング中、発信者番号からの最初の発呼に応答がない場合、発信者番号からの発呼回数の統計を開始することができ、所定の時間帯内に再び該発信者番号からの発呼がない場合、発信者番号からの発呼回数の統計をキャンセルするようにし、所定の時間帯を２０Ｓ又は３０Ｓ等に設定することができる。
【００２６】
現在条件が予め設定された条件を満たすか否かを検出する前に、つまり、発信端末からの最初の発呼に応答がない場合、リンギングモードを変えるように、ショートメッセージ又は自動音声応答等により発信端末に呼び出しを継続するように促す。
【００２７】
本発明の実施の形態にてサイレントモードでの呼び出し装置が提供され、該装置の構成は、図２に示すようであり、
端末が着呼を受信すると、端末の現在のモードを検出するように構成される検出モジュール１０と、検出モジュール１０にカップリングされ、端末がサイレントモードにある場合、予め設定された条件に従って端末の着信音及び／又はバイブレーションをオンにして、ユーザに電話に出るように知らせるように構成される着信音オンモジュール２０と、を備える。
【００２８】
図３は、上記着信音オンモジュール２０の第１の構成を示す図であり、該モジュールは、端末がサイレントモードにある場合、発信者番号が着信音及び／又はバイブレーションのオンをサポートするように設定されているか否かを検出するように構成される第１の検出ユニット２０１と、第１の検出ユニット２０１にカップリングされ、発信者番号が着信音及び／又はバイブレーションのオンをサポートするように設定されている場合、予め設定された条件に従って端末の着信音及び／又はバイブレーションをオンにして、ユーザに電話に出るように知らせるように構成される第１の着信音オンユニット２０２と、を含む。
【００２９】
図４は、上記着信音オンモジュール２０の第２の構成を示す図であり、この図における着信音オンモジュール２０は、端末がサイレントモードにある場合、現在条件が、予め設定された条件であって、発信者番号からの発呼回数が予め設定された回数に達していることと、リンギング継続時間が予め設定された時間に達していることとを少なくとも１つ含む条件を満たすか否かを検出するように構成される第２の検出ユニット２０３と、第２の検出ユニット２０３にカップリングされ、現在条件が予め設定された条件を満たす場合、現在条件での着信回数の統計数をクリアし、端末の着信音及び／又はバイブレーションをオンにして、ユーザに電話に出るように知らせるように構成される第２の着信音オンユニット２０４と、を含む。
【００３０】
好適な実施過程において、図３と図４における着信音オンモジュール２０を１つのモジュールとして統合し、つまり、異なる条件で異なるユニットを動作させるようにすることができる。
【００３１】
図５は、着信音オンモジュール２０の第２の構成の好適な構成を示す図であり、該着信音オンモジュール２０は、
第２の検出ユニット２０３にカップリングされ、発信者番号からの最初の発呼に応答がない場合、発信者番号からの発呼回数を統計し、所定の時間帯内に再び発信者番号からの発呼がない場合、発信者番号からの発呼回数の統計をキャンセルするように構成される統計ユニット２０５と、第２の検出ユニット２０３にカップリングされ、発信端末からの最初の発呼に応答がない場合、リンギングモードを変えるように、ショートメッセージ又は自動音声応答により発信端末に発呼を継続するように促すように構成される提示ユニット２０６と、をさらに含む。
【００３２】
もちろん、サイレントモードでの呼び出し装置を端末又は移動端末に設けることは、当業者が上記開示の内容に基づいてなし得ることであり、類似した設定方式も本発明の実施の形態の保護範囲内のものであり、ここではその説明を省略する。
【００３３】
（好適な実施例）
本発明の好適な実施例では、サイレントモードでの呼び出し方法が提供され、該方法は、一定の方策により、一部のユーザ／番号を緊急コールバック状態に入らせることができ、該緊急コールバック状態は、発信ユーザへの適時応答をできる限り行えるように、これらの着信に対して、サイレントモードにおいて着信音又はバイブレーションなどの提示をオンにさせることが可能であり、これにより、サイレントモードにおいて緊急電話が取り損ねられることをできるだけ低減する。
【００３４】
本発明の実施例で提案される移動通信端末のサイレントモードでの呼び出し方法は、まず、緊急コールバック（着信音又はバイブレーション等による呼び掛けが可能な方式）をサポートするユーザ又は端末番号を設定する必要がある。それから、予め設定されたルールに従って、緊急コールバックをサポートするユーザ／番号を緊急コールバック状態に入らせるようにトリガーし、相手側へフィードバックすることができる。サイレントモードでコールリンギング指示を受信し、発信ユーザ／番号が緊急コールバックモードにあれば、着信音やバイブレーション等の提示をオンにする。最後に、一定の方策に従って、緊急コールバック状態を終了させる。
【００３５】
緊急コールバック機能の処理フローについて、以下のようなステップを参考にすることができる。
【００３６】
（１）端末が着信提示を受信した後、まずサイレントモードにあるか否かを判定し、サイレントモードでなければ、通常の処理フローに移行し、サイレントモードであれば、（２）に移行する。
【００３７】
（２）発信者番号／ユーザが緊急コールバックをサポートするように設定されているか否かを判定し、サポートしなければ、通常の処理フローに移行し、サポートすれば、（３）に移行する。
【００３８】
（３）発信者番号／ユーザが緊急コールバックモードにあるか否かを判定し、そうであれば、着信提示（着信音、バイブレーション等）をオンにし、そうでなければ、（４）に移行する。
【００３９】
（４）着信がノーマルに応答されていれば、通常の処理フローに移行し、そうでなければ、（５）に移行する。
【００４０】
（５）着信が一定の方策を満たしていれば、ユーザ／番号に対応して緊急コールバックモードをオンにし、音声自動応答、ショートメッセージ等により緊急コールバックモードに入っている旨を相手側に分からせる。
【００４１】
（６）ユーザ／番号を緊急コールバックに入らせた後、一定の条件で、例えば、一定の時間内（例えば、２分間）に該ユーザ／番号からの着信がない場合、該ユーザ／番号からの着信が応答された（自動応答を除く）場合、端末が進んで該ユーザ／番号を発呼する場合、サイレントモードをキャンセルした場合、端末が電源入れ／電源切れする場合、ユーザ／番号は緊急コールバックサポートがキャンセルされた場合、該緊急コールバック状態を終了させる必要がある。
【００４２】
以下、図面を結合して緊急コールバック機能の実現（即ち、サイレントモードでの呼び出し方法）を詳しく説明する。
【００４３】
図６は、着信処理のフローチャートであり、ステップＳ６０１〜Ｓ６０５を含む。
【００４４】
Ｓ６０１：端末がコールリンギングプロンプトを受信した後、まずサイレントモードにあるか否かを判定する。サイレントモードでなければ、Ｓ６０５に移行し、サイレントモードであれば、Ｓ６０２に移行する。
【００４５】
Ｓ６０２：発信者番号／ユーザが緊急コールバックをサポートするように設定されているか否かを判定する。サポートしなければ、Ｓ６０５に移行し、サポートすれば、Ｓ６０３に移行する。
【００４６】
Ｓ６０３：発信者番号／ユーザが緊急コールバックモードにあるか否かを判定し、そうであれば、Ｓ６０４を実行し、そうでなければ、Ｓ６０５に移行する。
【００４７】
Ｓ６０４：着信提示（着信音、バイブレーション等）をオンにする。
【００４８】
Ｓ６０５：通常の処理フローに従って着信要求を処理する。
【００４９】
図７は、着信による緊急コールバックのトリガーを示すフローチャートであり、ステップＳ７０１〜Ｓ７０８を含む。
【００５０】
Ｓ７０１：端末が着信リンギング提示を受信した後、まずサイレントモードにあるか否かを判定する。サイレントモードでなければ、ステップＳ７０８を実行し、サイレントモードであれば、Ｓ７０２に移行する。
【００５１】
Ｓ７０２：発信者番号／ユーザが緊急コールバックをサポートするように設定されているか否かを判定する。サポートしなければ、ステップＳ７０８を実行し、サポートすれば、Ｓ７０３に移行する。
【００５２】
Ｓ７０３：発信者番号／ユーザが緊急コールバック状態にあるか否かを判定する。そうであれば、Ｓ７０４に移行し、そうでなければ、Ｓ７０５に移行する。
【００５３】
Ｓ７０４：緊急コールバック状態の処理に入る。
【００５４】
Ｓ７０５：端末がサイレントに設定された後、該ユーザ／番号からの着信回数を統計し、今回のコールのリンギング継続時間をモニタリングする。
【００５５】
Ｓ７０６：緊急コールバック状態に入らせるか否かを決定するように、着信回数又はリンギング時間が予め設定された値を超えているか否かを判定し、そうであれば、ステップＳ７０７を実行し、そうでなければ、Ｓ７０８に移行する。
【００５６】
緊急コールバック状態に入らせるか否かを決定するには、具体的には、端末がサイレントに設定された後、発信ユーザに発呼されてリンギング指示を受信してからの継続時間が一定の閾値、例えば、２０ｓを超えている場合、緊急コールバック状態に入らせたり、端末がサイレントに設定された後、発信ユーザ／番号からの連続発呼回数が一定の閾値、例えば、３回を超えている場合、緊急コールバック状態に入らせたりすることを参考にすることができる。緊急コールバック状態に入らせた後、該ユーザ／番号からの着信への統計をクリアする必要がある。
【００５７】
Ｓ７０７：発信ユーザ／番号を緊急コールバック状態に入らせて、ショートメッセージ又は自動応答により相手側に知らせる。緊急コールバックモードに入らせたことを端末が以下の方式で相手側に知らせることができる。即ち、リンギング継続時間が予め設定された値を超えていれば、緊急コールバックモードをトリガーし、この場合、直接自動音声応答により、現在のシーンモードに基づいて相手側に「端末が会議／着信拒否モードにあり、コールバックを継続して相手をウェイクアップする」と知らせたり、発信ユーザ／番号からの連続発呼回数が一定の閾値を超える場合、ショートメッセージにより、現在のシーンモードに基づいて相手側に「端末が会議／着信拒否モードにあり、コールバックを継続して相手をウェイクアップする」と知らせたりすることができる。
【００５８】
Ｓ７０８：処理を終了させる。
【００５９】
図８は、所定の期間内に着信がなかったり、着信が応答されたりして、緊急コールバックモード（又は状態）を終了させるフローチャートであり、ステップＳ８０１〜Ｓ８０７を含む。
【００６０】
Ｓ８０１：ユーザ／番号を緊急コールバック状態に入らせた後、電話モニタリングを起動する。
【００６１】
Ｓ８０２：予め設定された期間内に着信があるか否かを判定する。予め設定された期間内に該ユーザ／番号からの着信がモニタリングされていなければ、ステップＳ８０６を実行し、モニタリングされていれば、Ｓ８０３に移行する。
【００６２】
Ｓ８０３：着信が応答されているか否かを判定する。応答されていれば、ステップＳ８０４を実行し、応答されていなければ、ステップＳ８０５を実行する。
【００６３】
Ｓ８０４：自動応答であるか否かを判定する。そうであれば、ステップＳ８０５を実行する。そうでなければ、ステップＳ８０６を実行する。
【００６４】
Ｓ８０５：着信モニタリング時間をリセットし、着信モニタリングを継続する。それからＳ８０７を実行する。
【００６５】
Ｓ８０６：緊急コールバックモードを直接終了させる。
【００６６】
Ｓ８０７：処理を終了させる。
【００６７】
実施中、端末が進んで発呼する場合、緊急コールバック状態を終了させるフローは、ユーザ／番号を緊急コールバック状態に入らせた後、電話モニタリングを起動するステップと、端末が進んで該ユーザ／番号を発呼すれば、該ユーザ／番号の緊急コールバック状態を終了させるステップと、を含んでもよい。
【００６８】
端末がサイレントをキャンセルする場合、緊急コールバック状態を終了させるフローは、端末がサイレント設定をキャンセルするステップと、緊急コールバック状態に入った全てのユーザ／番号のリストを取得するステップと、かかるユーザ／番号の緊急コールバック状態を順に終了させるステップと、を含んでもよい。
【００６９】
端末が電源入れ／電源切れをキャンセルする場合、緊急コールバック状態を終了させるフローは、端末が電源入れ／電源切れ操作を行うステップと、緊急コールバック状態に入った全てのユーザ／番号のリストを取得するステップと、かかるユーザ／番号の緊急コールバック状態を順に終了させるステップと、を含んでもよい。
【００７０】
ユーザ／番号は緊急コールバックサポート能力がキャンセルされる場合、緊急コールバック状態を終了させるフローは、ユーザ／番号は緊急コールバックサポート能力がキャンセルされるステップと、ユーザ／番号の緊急コールバック状態を終了させるステップと、を含んでもよい。
【００７１】
本発明の実施の形態では、サイレントモードでの呼び出し装置が備えられる移動端末がさらに提供され、該移動端末は、ユーザ／番号の緊急呼び出しサポート能力を長く続いて設定したり一時的に設定したりすることができ、通常の呼び出し処理機能及び緊急コールバック機能を完了することができ、また、ユーザ／番号を、緊急コールバック状態に入らせたりその緊急コールバック状態を終了させたりするように制御し、緊急コールバック状態を相手側に通知することができる。
【００７２】
例示のために本発明の好適な実施の形態を開示したが、様々な改良、追加や置換えも可能なことは、当業者が意識するものであり、それゆえ、本発明の範囲は上記実施の形態に限定されるべきではない。
【図１】
2017506853.tif 000003
【図２】
2017506853.tif 000004
【図３】
2017506853.tif 000005
【図４】
2017506853.tif 000006
【図５】
2017506853.tif 000007
【図６】
2017506853.tif 000008
【図７】
2017506853.tif 000009
【図８】
2017506853.tif 000010
【国際調査報告】
2017506853.tif 000011
2017506853.tif 000012
2017506853.tif 000013
2017506853.tif 000014